(57)【特許請求の範囲】
【請求項１】
原稿からの反射光を受光して電気信号に変換するラインセンサを備える画像読取装置であって、
前記ラインセンサが実装される基板と、
前記基板を当接板に押し当てて前記反射光の光軸と直交する平面に移動可能に支持する押し当て部材と、
前記基板に当接され、前記反射光の光軸に対して直交する平面に沿って前記ラインセンサを移動させる圧電素子と、
前記圧電素子へ印加する電圧の値を制御することで前記ラインセンサの位置を調整する制御装置と
を備え、
前記圧電素子として、前記ラインセンサの長手方向に離間して配置されると共に前記ラインセンサを前記長手方向と直交する方向に移動させかつ前記反射光の光軸周りに回転移動可能とする第１圧電素子及び第２圧電素子を備え、
前記制御装置は、前記ラインセンサの位置調整が終了した時点における前記第１圧電素子と前記第２圧電素子に印加されている電圧の値を記憶する
ことを特徴とする画像読取装置。
【請求項２】
前記圧電素子として、前記ラインセンサを長手方向に移動させる第３圧電素子を備えることを特徴とする請求項１記載の画像読取装置。
【請求項３】
前記ラインセンサを収容する筐体と、前記筐体の内部あるいは外部の温度を検出する温度センサとを備え、前記制御手段は、当該温度センサの検出結果に基づいて前記圧電素子を制御することを特徴とする請求項１または２記載の画像読取装置。
【請求項４】
請求項１〜３いずれかに記載の画像読取装置を備えることを特徴とする画像形成装置。
【発明の詳細な説明】
【技術分野】
【０００１】
本発明は、画像読取装置及び画像形成装置に関するものである。
【背景技術】
【０００２】
従来から、複写機やファクシミリ、あるいは、これらの複数の機能を備える複合機等の画像形成装置は、原稿の画像を読み取るための画像読取装置を備えている。このような画像読取装置は、原稿に対して照射パターンがライン状となる照射光を射出する光源と、原稿からの反射光を受光して電気信号に変換するＣＣＤラインセンサとを備えている。
【先行技術文献】
【特許文献】
【０００３】
【特許文献１】特開２０００−１１５４９１号公報
【発明の概要】
【発明が解決しようとする課題】
【０００４】
一般的に、ＣＣＤラインセンサは、基板上に実装されており、当該基板が画像読取装置のフレームに取付られることで、画像読取装置の筐体内部に固定されている。ＣＣＤラインセンサの配置位置は、画像の読取精度を左右することから、工場での組立て時に専用の治具を用いて正確に調節される。
【０００５】
しかしながら、工場出荷時に正確に位置合わせがなされたとしても、画像読取装置の使用環境によっては熱変形等により歪みが生じ、ＣＣＤラインセンサの位置がずれてしまうことがある。また、工場での組立て時に、ＣＣＤラインセンサを固定するビスを閉めるときのストレス等により、ＣＣＤラインセンサの位置がずれてしまうこともある。このため、画像の読取精度を最大限に高めることが難しい場合が生じることがある。
例えば、ＣＣＤラインセンサの形状と、反射光の照射パターンの形状とが、互いにライン状であるため、ＣＣＤラインセンサが反射光の光軸周りに回転するように変位した場合には、ＣＣＤラインセンサの端部が反射光の照射パターンから大きく外れてしまう場合がある。実際には、反射光が散乱することから反射光の照射パターンの形状はぼやけたライン状となるため、散乱光がないと仮定した場合の反射光の照射パターンからＣＣＤラインセンサがはずれたとしても画像を読み取ることは可能である。しかしながら、散乱光がないと仮定した場合の反射光の照射パターンの範囲が光量の大きな領域であるため、ＣＣＤラインセンサの一部が、散乱光がないと仮定した場合の反射光の照射パターンから大きく外れることによって、当該部分の受光強度が低下し、画像の読取精度が低下する。
【０００６】
このようにＣＣＤラインセンサの位置がずれてしまった場合には、高い読取精度を取り戻そうとすると、画像読取装置を工場に一端戻し、専用の治具でＣＣＤラインセンサの位置を再調整する必要がある。
【０００７】
本発明は、上述する問題点に鑑みてなされたもので、ラインセンサを備える画像読取装置において、工場出荷後であってもＣＣＤラインセンサの位置調節を可能とすることを目的とする。
【課題を解決するための手段】
【０００８】
本発明は、上記課題を解決するための手段として、以下の構成を採用する。
【０００９】
第１の発明は、原稿からの反射光を受光して電気信号に変換するラインセンサを備える画像読取装置であって、上記反射光の光軸に対して直交する平面に沿って上記ラインセンサを移動させる圧電素子を備えるという構成を採用する。
【００１０】
第２の発明は、上記第１の発明において、上記圧電素子として、上記ラインセンサの長手方向に離間して配置されると共に上記ラインセンサを上記長手方向と直交する方向に移動させる第１圧電素子及び第２圧電素子を備えるという構成を採用する。
【００１１】
第３の発明は、上記第１または第２の発明において、上記圧電素子として、上記ラインセンサを長手方向に移動させる第３圧電素子を備えるという構成を採用する。
【００１２】
第４の発明は、上記第１〜第３いずれかの発明において、上記ラインセンサが実装される基板を備え、上記圧電素子が上記基板に当接されているという構成を採用する。
【００１３】
第５の発明は、上記第１〜第４いずれかの発明において、上記ラインセンサを収容する筐体と、上記筐体の内部あるいは外部の温度を検出する温度センサと、当該温度センサの検出結果に基づいて上記圧電素子を制御する制御手段とを備えるという構成を採用する。
【００１４】
第６の発明は、画像形成装置であって、上記第１〜第５いずれかの発明である画像読取装置を備えるという構成を採用する。
【発明の効果】
【００１５】
本発明によれば、ラインセンサを移動させる圧電素子を備えている。このため、圧電素子によってラインセンサの位置を調節することが可能となる。
このような圧電素子は、印加される電圧の値に応じて変位量（変化量）が変わる。よって、工場出荷後であっても、容易に圧電素子の変位量、すなわちラインセンサの位置を調節することが可能となる。
したがって、熱変形等によってラインセンサの位置がずれた場合であっても、ラインセンサを常に光量の大きな領域に移動させることができ、常に高い読取精度を維持することが可能となる。
【図面の簡単な説明】
【００１６】
【図１】本発明の第１実施形態における画像読取装置の概略構成を模式的に示す縦断面図である。
【図２】図１における撮像ユニットの拡大図である。
【図３】図２の撮像ユニットをＣＣＤ基板の裏面側から見た正面図である。
【図４】本発明の第１実施形態における画像読取装置でのＣＣＤラインセンサの位置調節方法を説明するためのフローチャートである。
【図５】本発明の第２実施形態における画像読取装置の概略構成を模式的に示す縦断面図である。
【図６】本発明の第３実施形態における画像形成装置の概略構成図である。
【発明を実施するための形態】
【００１７】
以下、図面を参照して、本発明に係る画像読取装置の一実施形態について説明する。なお、以下の図面において、各部材を認識可能な大きさとするために、各部材の縮尺を適宜変更している。
【００１８】
（第１実施形態）
図１は、本実施形態の画像読取装置１の概略構成を模式的に示す縦断面図である。
本実施形態の画像読取装置１は、複写機やファクシミリ、あるいはこれらの機能を複数備える複合機等の画像形成装置の上部に配置されており、原稿に形成されている画像を読み取るものである。
【００１９】
図１に示すように、画像読取装置１は、本体２と、変位機構３と、プラテンカバー４と、制御装置５（制御手段）とを備えている。
【００２０】
本体２は、当該本体２の上面を形成するプラテンガラス２１と、プラテンガラス２１を支持する筐体２２と、筐体２２の内部であってプラテンガラス２１の下方に配置される光学装置２３とを備えている。
なお、本体２は、ユーザーからの指示を受ける操作パネルが必要に応じて設置される。ただし、画像読取装置１が操作パネルを備える他の機器（画像形成装置の本体やパーソナルコンピューター等）と接続されることを前提としている場合には、本体２の操作パネルが省略される場合もある。
【００２１】
プラテンガラス２１は、透明ガラスからなる板状部材であり、原稿Ｐが載置される表面が水平となるように支持されている。筐体２２は、内部に光学装置２３を収容する中空の略方形状とされており、用紙に対して画像形成を行う画像形成装置の本体に装着可能に構成されている。この筐体２２は、図１に示すように、プラテンカバー４を支持する支持部２２ａを備えている。
【００２２】
光学装置２３は、光学系ユニット２４と、走査装置２５と、撮像ユニット２６とを備えている。光学系ユニット２４は、原稿Ｐに光を照射する光源２４ａと、原稿Ｐから反射光を撮像ユニット２６に導光する第１ミラー２４ｂ、第２ミラー２４ｃと、第３ミラー２４ｄとを備えている。
なお、光源２４ａは、照射パターンが主走査方向（図１の紙面垂直方向）に長いライン状の照射光を射出する。
【００２３】
走査装置２５は、光学系ユニット２４をプラテンガラス２１に沿って副走査方向に移動させるものであり、光学系ユニット２４を支持する支持部や当該支持部（不図示）を移動する移動機構（不図示）を備えている。
【００２４】
図２は、図１における撮像ユニット２６の拡大図である。また、図３は、後述するＣＣＤ基板２６ｄの裏面側（図１の矢印Ａの方向）から見た正面図である。
これらの図に示すように、撮像ユニット２６は、取り付け台２６ａと、結像レンズ２６ｂと、当接板２６ｃと、ＣＣＤ基板２６ｄと、押し当て部材２６ｅと、を備えている。
【００２５】
取り付け台２６ａは、本体２の筐体２２あるいは不図示のフレームに固定されて、平らの上面に結像レンズ２６ｂ、当接板２６ｃが設置されている。結像レンズ２６ｂは、原稿Ｐからの反射光を受光してＣＣＤ基板２６ｄの後述するＣＣＤラインセンサ２６ｄ２にて結像させるものである。当接板２６ｃは、取り付け台２６ａの上面に立設された板状部材であり、反射光を通過させるための開口２６ｃ１を備えている。この当接板２６ｃは、裏面側にＣＣＤ基板２６ｄが押し当てられ、このＣＣＤ基板２６ｄを反射光の光軸方向において位置決めする。
【００２６】
ＣＣＤ基板２６ｄは、配線基板からなる板状部材の基板２６ｄ１と、当該基板２６ｄ１に実装されるＣＣＤラインセンサ２６ｄ２とを備えている。
基板２６ｄ１には、ＣＣＤラインセンサ２６ｄ２の他にも他の部品が実装されている。ＣＣＤラインセンサ２６ｄ２は、副走査方向が長手方向とされたライン状のイメージセンサであり、基板２６ｄ１の中央部に実装されている。このＣＣＤラインセンサ２６ｄ２は、原稿Ｐからの反射光を受光して電気信号に変換する。
【００２７】
押し当て部材２６ｅは、当接板２６ｃの裏面側に４つ取り付けられている。この押し当て部材２６ｅは、可撓性を有すると共に先端に爪部を有しており、当接板２６ｃとの間で基板２６ｄ１を挟み込むことによって、ＣＣＤ基板２６ｄを当接板２６ｃに押し当てて支持する。
このようにして押し当て部材２６ｅと当接板２６ｃとの間に挟まれて支持されるＣＣＤ基板２６ｄは、ＣＣＤラインセンサ２６ｄ２が当接板２６ｃの開口から露出するように配置されると共に、僅かに上下左右（反射光の光軸Ｌと直交する平面内）に移動可能とされている。
【００２８】
変位機構３は、圧電素子３１と、板バネ３２とを備えており、圧電素子３１の変形による押圧力と、板バネ３２の付勢力とのバランスを調節することによってＣＣＤ基板２６ｄを変位させるものである。なお、変位機構３は、必要に応じて、圧電素子３１を駆動するための駆動装置を備えている。
【００２９】
圧電素子３１は、制御装置５の制御の下、印加される電圧の大きさに応じて変形し、この変形によってＣＣＤ基板２６ｄを移動させるものである。
本実施形態においては、圧電素子３１として、ＣＣＤ基板２６ｄの下方に配置され、ＣＣＤラインセンサ２６ｄ２の長手方向に離間して配置される第１圧電素子３１ａと第２圧電素子３１ｂとを備えている。これらの第１圧電素子３１ａと第２圧電素子３１ｂとは、取り付け台２６ａの上面に固定されると共に基板２６ｄ１の下面と当接されており、基板２６ｄ１を移動させることによってＣＣＤラインセンサ２６ｄ２を上下方向（反射光の光軸Ｌに対して直交する平面に沿い、かつＣＣＤラインセンサ２６ｄ２の長手方向と直交する方向）に移動させる。なお、第１圧電素子３１ａと第２圧電素子３１ｂとが離間して配置されていることから、第１圧電素子３１ａとによる変位量と第２圧電素子３１ｂの変位量とに差をつけることにより、反射光の光軸Ｌ周りにＣＣＤ基板２６ｄを回転移動させることができる。
また、本実施形態においては、圧電素子３１として、ＣＣＤ基板２６ｄの側方に配置され、ＣＣＤラインセンサ２６ｄ２を長手方向に移動させる第３圧電素子３１ｃを備えている。この第３圧電素子３１ｃは、当接板２６ｃの裏面の突起部２６ｃ２に固定されると共に基板２６ｄ１の側面と当接されており、基板２６ｄ１を移動させることによってＣＣＤラインセンサ２６ｄ２を左右方向（ＣＣＤラインセンサ２６ｄ２の長手方向）に移動させる。
【００３０】
板バネ３２は、圧電素子３１の反対側からＣＣＤ基板２６ｄを付勢するものである。本実施形態では、この板バネ３２として、第１圧電素子３１ａの反対側から下方に向けてＣＣＤ基板２６ｄを付勢する第１板バネ３２ａと、第２圧電素子３１ｂの反対側から下方に向けてＣＣＤ基板２６ｄを付勢する第２板バネ３２ｂと、第３圧電素子３１ｃの反対側から側方に向けてＣＣＤ基板２６ｄを付勢する第３板バネ３２ｃとが設置されている。
なお、第１圧電素子３１ａ及び第２圧電素子３１ｂは、押し当て部材２６ｅによって支持されている。また、第３圧電素子３１ｃは、当接板２６ｃの裏面の突起部２６ｃ３に固定されている。
【００３１】
図１に戻り、プラテンカバー４は、本体２の筐体２２の上部に設けられた支持部２２ａによって支軸２２ｂを中心として回動可能に設けられている。つまり、プラテンカバー４は、２つの支持部２２ａに支持されることによって、プラテンガラス２１の上方にて開閉可能とされている。このプラテンカバー４は、原稿Ｐの画像を読み込むときに閉じられた状態とされ、原稿Ｐをプラテンガラス２１上に載置等するときに開かれた状態とされる。
【００３２】
制御装置５は、本実施形態の画像読取装置１の全体を制御するものであり、変位機構３、走査装置２５、ＣＣＤラインセンサ２６ｄ２と電気的に接続されている。
また、制御装置５は、高い読取精度を実現可能とするために必要とされるＣＣＤラインセンサ２６ｄ２における受光強度の閾値を予め記憶している。そして、制御装置５は、ＣＣＤラインセンサ２６ｄ２の全域にて、受光強度が予め記憶する閾値を超えるように、変位機構３を制御してＣＣＤラインセンサ２６ｄ２を移動させる。
【００３３】
以下に、図４のフローチャートを参照して、ＣＣＤラインセンサ２６ｄ２の位置調節方法について説明する。
【００３４】
まず、制御装置５は、圧電素子３１に電圧が印加されていない状態とすることでＣＣＤ基板２６ｄを初期位置とする（ステップＳ１）。
続いて、制御装置５は、光源２４ａを点灯させ（ステップＳ２）、ＣＣＤラインセンサ２６ｄ２の受光強度を検出する（ステップＳ３）。制御装置５は、ステップＳ３で検出した受光強度が予め記憶している閾値を超えているかの判定を行う（ステップＳ４）。そして、受光強度が閾値を超えていない場合には、変位機構３を制御してＣＣＤ基板２６ｄ（すなわちＣＣＤラインセンサ２６ｄ２）を移動させる。そして、制御装置５は、受光強度が閾値を超えるまでステップＳ４とステップＳ５とを繰り返し、受光強度が予め記憶している閾値を超えた場合に、ＣＣＤラインセンサ２６ｄ２の位置調節を終了する。
【００３５】
なお、制御装置５は、ステップＳ４とステップＳ５とを繰り返すにあたり、例えば、先に、第１圧電素子３１と第２圧電素子４１ｂとを駆動することによりＣＣＤラインセンサ２６ｄ２の回転角度を調節し、その後第３圧電素子４１ｃを駆動することにより、ＣＣＤラインセンサ２６ｄ２の水平方向の位置を調節する。
【００３６】
また、制御装置５は、ＣＣＤラインセンサ２６ｄ２の位置調節が終了した時点におけるＣＣＤラインセンサ２６ｄ２の位置（すなわち、圧電素子３１に印加する電圧の値）を記憶する。画像読取装置１の電源が切断された場合には、圧電素子３１に電圧が印加されないことからＣＣＤ基板２６ｄが初期位置に戻るが、再び電源が投入された場合に、制御装置５は、記憶した位置にＣＣＤラインセンサ２６ｄ２を移動させる。これによって、電源を再び投入した場合においても、短時間でＣＣＤラインセンサ２６ｄ２の位置調整を完了することが可能としている。
【００３７】
本実施形態の画像読取装置１は、上述のようにしてＣＣＤラインセンサ２６ｄ２の位置調節が終了してから、原稿Ｐの画像を読み取る。原稿Ｐの画像を読み取る場合には、まずユーザーによって原稿Ｐがプラテンガラス２１に載置され、その後プラテンカバー３がユーザーによって閉じられる。続いて、操作パネル等から画像の読取りの実行を指示する信号を受けると、制御装置５は、光学装置２３に原稿Ｐに形成された画像を画像データとして取得させる。そして、制御装置５は、取得した画像データと原稿Ｐを外部に出力する。
【００３８】
以上のような本実施形態の画像読取装置１においては、ＣＣＤラインセンサ２６ｄ２を移動させる圧電素子３１を備えている。このため、圧電素子３１によってＣＣＤラインセンサ２６ｄ２の位置を調節することが可能となる。
このような圧電素子３１は、印加される電圧の値に応じて変位量（変化量）が変わる。よって、工場出荷後であっても、容易に圧電素子３１の変位量すなわちＣＣＤラインセンサ２６ｄ２の位置を調節することが可能となる。
したがって、本実施形態の画像読取装置１によれば、熱変形等によってＣＣＤラインセンサ２６ｄ２の位置がずれた場合であっても、ＣＣＤラインセンサ２６ｄ２を常に光量の大きな領域に移動させることができ、常に高い読取精度を維持することが可能となる。
【００３９】
また、本実施形態の画像読取装置１においては、圧電素子３１として、ＣＣＤラインセンサ２６ｄ２の長手方向に離間して配置されると共にＣＣＤラインセンサ２６ｄ２を長手方向と直交する方向に移動させる第１圧電素子３１ａ及び第２圧電素子３１ｂを備える。  このため、ＣＣＤラインセンサ２６ｄ２を反射光の光軸Ｌ周りに回転させることができ、読取精度の向上を図ることが可能となる。
この理由について説明すると、反射光の照射パターンが光源２４ａから射出される照射光の照射パターンと同様にライン状であることから、ＣＣＤラインセンサ２６ｄ２が反射光の光軸Ｌ周りに回転すると、ＣＣＤラインセンサ２６ｄ２の端部の変位量が大きくなる。よって、ＣＣＤラインセンサ２６ｄ２が意図せずに回転すると、ＣＣＤラインセンサ２６ｄ２の端部が反射光の照射パターン（光強度の高い領域）から大きく外れ読取精度の低下を招く。つまり、ＣＣＤラインセンサ２６ｄ２が意図せずに回転した場合には、読取精度の低下を招き易い。これに対して、本実施形態の画像読取装置１によれば、ＣＣＤラインセンサ２６ｄ２を反射光の光軸Ｌ周りに回転させることができ、読取精度の低下を防止することができる。
【００４０】
また、本実施形態の画像読取装置１においては、圧電素子３１として、ＣＣＤラインセンサ２６ｄ２を長手方向に移動させる第３圧電素子３１ｃを備える。
このため、ＣＣＤラインセンサ２６ｄ２を上下方向のみではなく水平方向にも移動させることが可能となり、より広い範囲にてＣＣＤラインセンサ２６ｄ２を移動させることが可能となる。
【００４１】
また、本実施形態の画像読取装置１においては、ＣＣＤラインセンサ２６ｄ２が実装される基板２６ｄ１を備え、圧電素子３１が基板２６ｄ１に当接されている。
このため、ＣＣＤラインセンサ２６ｄ２が直接圧電素子３１に押圧されず、ＣＣＤラインセンサ２６ｄ２の変形を防止することができる。
【００４２】
（第２実施形態）
次に、本発明の第２実施形態について説明する。なお、本実施形態の説明において、上記第１実施形態と同様の部分については、その説明を省略あるいは簡略化する。
【００４３】
図２は、本実施形態の画像読取装置１Ａの概略構成を模式的に示す縦断面図である。この図に示すように、本実施形態の画像読取装置１Ａは、ＣＣＤラインセンサ２６ｄ２等を収容する筐体２２の内部に温度センサ６が設置されている。
【００４４】
この温度センサ６は、制御装置５と電気的に接続されており、筐体２２の内部温度を検出し、この検出結果を出力する。
本実施形態において制御装置５は、温度センサ６の検出結果から、筐体２２の内部温度差が予め定められた閾値を超えて変化した場合に、上記第１実施形態において説明したＣＣＤラインセンサ２６ｄ２の位置調節を行う。つまり、本実施形態で制御装置５は、温度センサ６の検出結果に基づいて圧電素子３１を制御する。
【００４５】
このような本実施形態の画像読取装置１Ａによれば、ＣＣＤラインセンサ２６ｄ２が配置される空間の温度が一定程度変化した場合には、ＣＣＤラインセンサ２６ｄ２が周囲の部材の熱変形によって反射光の光軸Ｌに対して変位したものと推定し、ＣＣＤラインセンサ２６ｄ２の位置調整を行う。このため、本実施形態の画像読取装置１によれば、ＣＣＤラインセンサ２６ｄ２が配置される空間の温度変化が大きい場合であっても、常にＣＣＤラインセンサ２６ｄ２を反射光の光軸Ｌに対して最適な場所に移動させることができ、常に高い読取精度を維持することが可能となる。
【００４６】
（第３実施形態）
図６は、本発明の第３実施形態である画像形成装置１００の概略構成を示す斜視図である。本実施形態の画像形成装置１００は、図６に示すように、画像読取装置１１０を備えており、画像読取装置にて原稿の画像を読み取り、読み取ったデータに基づいて記録紙に対して画像を形成する。
【００４７】
このような画像形成装置１００では画像読取装置１１０として、上記実施形態において説明した画像読取装置を用いている。
このような画像形成装置１００によれば、常に高い読取精度を維持することが可能な画像読取装置１１０を備えることになり、高精度な画像の形成を行うことが可能となる。
【００４８】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４９】
例えば、上記実施形態においては、３つの圧電素子３１を設置する構成について説明した。
しかしながら、本発明はこれに限定されるものではなく、圧電素子３１の数は変更可能である。
【００５０】
また、上記実施形態においては、ラインセンサとしてＣＣＤラインセンサ２６ｄ２を用いる構成について説明した。
しかしながら、本発明はこれに限定されるものではなく、ラインセンサとしてＣＭＯＳラインセンサを用いることも可能である。
【００５１】
また、上記実施形態においては、温度センサ６を筐体２２の内部に配置する構成について説明した。
しかしながら、本発明はこれに限定されるものではなく、温度センサ６を筐体２２の外部に設置することも可能である。
【００５２】
また、上記実施形態においては、温度センサ６の検出結果から空間の温度変化を取得し、この温度変化の量が一定の閾値を超えた場合にＣＣＤラインセンサ２６ｄ２の位置調節を行う構成について説明した。
しかしながら、本発明はこれに限定されるものではなく、予めＣＣＤラインセンサ２６ｄ２の位置調節を行う温度を設定し、この設定温度となったときにＣＣＤラインセンサ２６ｄ２の位置調節を行うようにしても良い。
【符号の説明】
【００５３】
１，１Ａ……画像読取装置、２……本体、３……変位機構、４……プラテンカバー、５……制御装置（制御手段）、６……温度センサ、２６ｄ……ＣＣＤ基板、２６ｄ１……基板、２６ｄ２……ＣＣＤラインセンサ（ラインセンサ）、３１……圧電素子、３１ａ……第１圧電素子、３１ｂ……第２圧電素子、３１ｃ……第３圧電素子、３２……板バネ、３２ａ……第１板バネ、３２ｂ……第２板バネ、３２ｃ……第３板バネ、１００……画像形成装置、１１０……画像読取装置、Ｌ……反射光の光軸、Ｐ……原稿
【図１】
0005750366.tif 000002
【図２】
0005750366.tif 000003
【図３】
0005750366.tif 000004
【図４】
0005750366.tif 000005
【図５】
0005750366.tif 000006
【図６】
0005750366.tif 000007